(57)【要約】  本発明は、圧力測定部材（１２）であって、圧力測定部材が試験体（９６）に機能的に連結された圧力測定面（１０６）と、試験体（９６）が収納された密閉型圧力測定ハウジング（１００）とを有し、圧力測定面（１０６）が試験体から或る程度の距距離を置いたところで延びる密閉型圧力測定ハウジング（１００）の変形可能な壁（１０４）によって支持され、ハウジング（１００）が内部空間（Ｅ）を画定し、圧力測定部材が圧力を圧力測定面（１０６）と試験体（９６）との間で伝達する手段（１１０）を更に有し、圧力伝達面が内部空間（Ｅ）の全てを占有する実質的に非圧縮性の物体（１３６）を有し、圧力測定部材が更に、エネルギー貯蔵手段（１０１）及び試験体（９６）によって検出された圧力を処理する手段（９９）を有し、エネルギー貯蔵手段（１０１）及び圧力処理手段（９９）が密閉型圧力測定ハウジング（１００）内に配置されていることを特徴とする圧力測定部材に関する。
2013506827.tif 000002
【特許請求の範囲】
【請求項１】
圧力測定部材（１２）において、前記圧力測定部材は、
‐試験体（９６）に機能的に連結された圧力測定面（１０６）を有し、
‐前記試験体（９６）が収納された密閉型圧力測定ハウジング（１００）を有し、前記圧力測定面（１０６）は、前記試験体から或る程度の距距離を置いたところに位置した前記密閉型圧力測定ハウジング（１００）の壁（１０４）によって支持され、前記密閉型圧力測定ハウジング（１００）は、前記密閉型圧力測定ハウジング（１００）の内部の空間（Ｅ）を画定し、
‐圧力を前記圧力測定面（１０６）と前記試験体（９６）との間で伝達する圧力伝達面（１１０）を有し、前記圧力伝達面は、前記内部空間（Ｅ）の全てを占有する実質的に非圧縮性の物体（１３６）を有し、
‐エネルギー貯蔵手段（１０１）及び前記試験体（９６）によって検出された圧力を処理する圧力処理手段（９９）を有し、前記エネルギー貯蔵手段（１０１）及び前記圧力処理手段（９９）は、前記密閉型圧力測定ハウジング（１００）内に配置されている、圧力測定部材（１２）。
【請求項２】
前記物体（１３６）によって占有された前記内部空間（Ｅ）の外部に位置するアンテナ（１２４）を含む無線周波数通信手段（１０８）を有する、請求項１記載の圧力測定部材（１２）。
【請求項３】
前記密閉型圧力測定ハウジング（１００）は、前記アンテナ（１２４）が接続された導電性施栓部材（１１４）によって施栓されるようになっていて、電気ハウジング（１００）の充填を行う充填オリフィス（１２８）を有する、請求項２記載の圧力測定部材（１２）。
【請求項４】
前記密閉型ハウジングの前記壁（１０４）は、同心溝（１２０）を有する、請求項１乃至３の何れか１項に記載の圧力測定部材（１２）。
【請求項５】
前記同心溝（１２０）は、一対ずつ互いに等距離を置いて位置している、請求項４記載の圧力測定部材（１２）。
【請求項６】
前記圧力測定面（１０６）は、不活性金属の膜、例えば金、パラジウム又は白金の膜で覆われている、請求項１乃至５の何れか１項に記載の圧力測定部材（１２）。
【請求項７】
セラミックで作られていて、前記密閉型ハウジング（１００）の１つの壁を形成する前記試験体（９６）のための支持体（１０２）を有する、請求項１乃至６の何れか１項に記載の圧力測定部材（１２）。
【請求項８】
前記物体（１３６）は、−２０℃〜＋１５０℃の温度範囲では液相及び／又はゲル相の状態にある、請求項１乃至７の何れか１項に記載の圧力測定部材（１２）。
【請求項９】
前記アンテナ（１２４）は、誘電率が１〜５の物体内に封入されている、請求項８記載の圧力測定部材（１２）。
【請求項１０】
圧力測定装置（１０）において、請求項１乃至９の何れか１項に記載の圧力測定部材（１２）と、前記圧力測定部材（１２）を保護する保護ハウジング（１４）とを有する、圧力測定装置（１０）。
【請求項１１】
前記圧力測定装置（１０）は、前記圧力測定部材（１２）を前記保護ハウジング（１４）内に位置決めする支持体（２４）を有し、前記保護ハウジング（１４）は、前記圧力測定面（１０６）に向いた少なくとも１つの保護壁（４８）を有し、前記保護ハウジング（１４）及び前記支持体（２４）は、前記圧力測定面（１０６）が１つ又は複数の前記保護壁（４８）から或る程度の距離離れたところに位置決めされるよう配置されている、請求項１０記載の圧力測定装置（１０）。
【請求項１２】
前記保護ハウジング（１４）は、互いに分離可能であり且つ組み立て時に空気を前記保護ハウジング（１４）の外部と内部との間で通じさせることができるよう配置された第１及び第２の部品（２０，２２）を有する、請求項１０又は１１記載の圧力測定装置（１０）。
【請求項１３】
前記保護ハウジング（１４）は、前記保護ハウジング（１４）に入る空気の寸法的濾過手段（３１）を有する、請求項１０乃至１２の何れか１項に記載の圧力測定装置（１０）。
【請求項１４】
タイヤ（１８）と圧力測定部材（１２）及び／又は圧力測定装置（１０）の組立体において、前記圧力測定部材（１２）は、請求項１〜９のうちいずれか一に記載のものであると共に／或いは前記圧力測定装置（１０）は、請求項１０乃至１３の何れか１項に記載のものである、組立体。
【請求項１５】
タイヤ圧力測定部材（１２）のための保護ハウジング（１４）において、前記保護ハウジング（１４）は、
‐前記圧力測定部材（１２）を前記ハウジング（１４）内に挿入する位置と、前記圧力測定部材（１２）を前記ハウジング（１４）内に保持する位置との間で互いに対して動くことができる第１及び第２の部品（２０，２２）を有し、前記第１及び前記第２の部品（２０，２２）は、前記第１及び前記第２の部品が前記保持位置にあるとき、空気を前記ハウジング（１４）の外部と内部との間で通じさせることができるよう配置されており、
‐前記ハウジング（１４）に入る空気を濾過する手段（３１）を有し、該濾過手段（３１）は、前記第１及び前記第２の部品（２０，２２）により画定されていて、前記ハウジング（１４）の外部と内部との間での空気を流通させる空間（５８）を含む、保護ハウジング（１４）。
【請求項１６】
前記第１の部品（２０）と前記第２の部品（２２）との間に設けられた補強手段（２７）を有する、請求項１５記載の保護ハウジング（１４）。
【請求項１７】
前記空気流通空間（５８）は、断面で見て、全体として前記ハウジング（１４）の内部と外部との間のエルボの形をした輪郭を有する、請求項１５又は１６記載の保護ハウジング（１４）。
【請求項１８】
前記空気流通空間（５８）は、少なくとも一部が前記第１及び前記第２の部品（２０，２２）のうちの一方の側壁（４６ａ〜４６ｄ）によって画定されている、請求項１５乃至１９の何れか１項に記載の保護ハウジング（１４）。
【請求項１９】
前記空気流通空間（５８）は、少なくとも一部が前記側壁（４６ａ〜４６ｄ）から張り出ているスカート（３５）により画定されている、請求項１８記載の保護ハウジング（１４）。
【請求項２０】
前記張り出しスカート（３５）は、テーパした輪郭を有する、請求項１９記載の保護ハウジング（１４）。
【請求項２１】
前記張り出しスカート（３５）は、対応の部品（２０，２２）の周囲全体に沿ってぐるりと延びている、請求項１９又は２０記載の保護ハウジング（１４）。
【発明の詳細な説明】
【技術分野】
【０００１】
本発明は、圧力センサの分野に関する。
【０００２】
本発明は、特に建設機械用タイヤのためのタイヤ圧力の測定に利用されるが、これに限定されるわけではない。
【背景技術】
【０００３】
先行技術、特に米国特許第６９３１９３４号明細書は、タイヤ及びリムにより画定された空間内に配置される圧力測定部材を開示している。この部材は、受動型のものであり、保護ハウジングを有している。この部材は、試験体を更に有し、ハウジングは、試験体に機能的に連結されている圧力測定面を支持した壁を有している。具体的に説明すると、この壁は、この壁が試験体と接触関係をなして位置決めされるよう設計された凹みを有している。壁に加えられる外部圧力の影響を受けて、凹みは、圧力を試験体に機械的に伝達し、試験体は、従って、圧力測定部材の外部の圧力を検出することができる。
【先行技術文献】
【特許文献】
【０００４】
【特許文献１】米国特許第６９３１９３４号明細書
【発明の概要】
【発明が解決しようとする課題】
【０００５】
しかしながら、壁との接触時に凹みにより試験体に及ぼされる機械的加重の繰り返しにより、最初に、試験体の摩耗が生じ、かくして圧力測定が妨げられ、第２に、試験体のその支持体からの離脱が生じ、かくして、圧力測定部材が使用できなくなる。
【０００６】
さらに、圧力測定部材は、受動型のものなので、各測定部材は、これをいったん製造すると較正されなければならず、従って、これは、骨の折れるコスト高の作業である。また、これには、圧力測定部材の一部をなす処理ユニットに較正データを記憶させる必要がある。それにより、システムの複雑さ及びコストが増大する。さらに、較正データは、測定誤差の発生源である。
【０００７】
また、注目されなければならないこととして、圧力測定部材がその寿命全体にわたって完全に封止されていない場合、圧力測定部材は、化学的攻撃、特にリム及びタイヤを維持するために用いられる物質による攻撃から保護されない。化学的攻撃へのこの長期間にわたる暴露により、試験体が損なわれ、従って圧力測定が妨げられる。
本発明は、信頼性の高い圧力測定部材を提供することを目的としている。
【課題を解決するための手段】
【０００８】
この目的のため、本発明の一要旨は、圧力測定部材において、圧力測定部材は、
‐試験体に機能的に連結された圧力測定面を有し、
‐試験体が収納された密閉型圧力測定ハウジングを有し、圧力測定面は、試験体から或る程度の距距離を置いたところに位置した密閉型圧力測定ハウジングの壁によって支持され、密閉型圧力測定ハウジングは、密閉型圧力測定ハウジングの内部の空間を画定し、
‐圧力を圧力測定面と試験体との間で伝達する圧力伝達面を有し、圧力伝達面は、内部空間の全てを占有する実質的に非圧縮性の物体を有し、
‐エネルギー貯蔵手段及び試験体によって検出された圧力を処理する圧力処理手段を有し、エネルギー貯蔵手段及び圧力処理手段は、密閉型圧力測定ハウジング内に配置されていることを特徴とする圧力測定部材にある。
【０００９】
圧力測定面が試験体から或る程度の距離を置いたところに位置しているので、即ち、圧力測定面が試験体と直接的な接触関係にはないので、試験体は、摩耗状態になることがなく又は圧力測定面への加重の繰り返しの影響を受けてその支持体から離脱状態になることがない。具体的に説明すると、実質的に、非圧縮性の物体は、試験体を保護すると共に圧力を圧力測定面から試験体に直接伝達し、この場合、これら要素が互いに直接的な接触関係をなさない。圧力は、直接伝達され、このことは、圧力測定面に加えられた圧力が試験体によって測定される圧力であることを意味している。かかる物質によって導入される測定偏差又はオフセットはなく、これにより、特に、圧力測定部材を較正する必要をなしで済ますことができる。
【００１０】
さらに、タイヤ圧力とは無関係に、本発明の圧力測定部材は、１６バールという高い又は必要ならば３０バールという高い圧力を測定することができる。内部空間の全てを占有することにより、空気又は他の何らかの物質、例えば圧縮性物体の存在が排除され、かかる圧縮性材料は、特に温度変動の場合に試験体により検出される圧力を乱す場合がある。
【００１１】
さらに、本発明の密閉型ハウジングは、タイヤ内部の圧力測定部材の使用条件下において、液体、固体及び気体に対して不透過性である。したがって、試験体は、化学的攻撃、具体的には建設業界においてリム及びタイヤを維持するために用いられる物質による攻撃から保護される。かくして、試験体は、ハウジングの外部に位置するどのようなものによっても損傷を受けることがない。というのは、試験体は、密閉型ハウジング内に配置されているからである。
【００１２】
さらに、圧力測定部材により、圧力測定面を用いてタイヤ内部圧力を測定することができ、圧力測定面は、試験体に機能的に連結されている状態で、圧力を試験体に伝達し、この場合、試験体は、ハウジングの外部の風雨にさらされることがない。具体的に説明すると、ハウジングの壁は、変形可能であり、このことは、ハウジングの外部のこの壁の受ける圧力を試験体によって測定できることを意味している。かかる部材は、タイヤ及びリムによって画定された空間内に配置されるようになっている。かかる部材がリムに固定されるかタイヤに固定されるかということは重要なことではない。
【００１３】
加うるに、測定部材は、能動型のものである。かくして、この測定部材を較正する必要がない。したがって、各部材は、迅速且つ安価に製造できる。さらに、試験体により測定される圧力は、処理手段に伝達され、処理手段は、エネルギー貯蔵手段によって自律的に動力供給される。次に、データは、処理手段から圧力測定部材の外部に伝達される。したがって、測定部材は、そのエネルギー供給の面で自律的であり、測定された圧力を確実に伝達することができる。
【００１４】
注目されるように、上述の物体が非圧縮性であることは、一定温度で規定される。かくして、非圧縮性物体は、温度の関数として変化する体積を有することができる。かくして、圧力測定壁が変形できるということにより、圧力測定を温度の変動に適合させることができる。具体的に説明すると、温度が上がり又は下がると、非圧縮性物体は、それに応じて膨張し又は収縮する傾向を有する。ダイヤフラムの変形性により、ダイヤフラムは、圧力測定を妨げないで、温度の関数として物体の体積の変動に追随することができる。
【００１５】
最後に、本発明の圧力測定部材の非圧縮性物体により、ハウジングの外部と内部との圧力差の影響を受けて破裂するかもしれない空気だけの入ったハウジングを有する部材と比較して、圧力測定ハウジングの破裂を回避することができる。
【００１６】
好ましくは、圧力測定部材は、この物体によって占有された内部空間の外部に位置するアンテナを含む無線周波数通信手段を有する。アンテナが内部空間の外部に位置しているので、その放射特性が維持されると共に圧力測定ハウジング又は非圧縮性物体によって妨げられることはない。
【００１７】
オプションとして、密閉型圧力測定ハウジングは、アンテナが接続された導電性施栓部材によって施栓されるようになっていて電気ハウジングの充填を行う充填オリフィスを有する。施栓部材は、ハウジングを密閉する栓としてもハウジング内部で生じた電気信号をハウジングの外側に位置したアンテナに伝送する導体としても働く。
【００１８】
有利には、ハウジングの壁は、変形可能なダイヤフラムにより形成されている。
ダイヤフラムは、これがタイヤ内の圧力及びその変動に敏感であり又はこれらの影響を受けやすいようにすることができる適当な機械的変形特性を有する。
【００１９】
有利には、密閉型ハウジングの壁は、同心溝を有する。
【００２０】
好ましくは、同心溝は、一対ずつ互いに等距離を置いて位置する。好ましくは、密閉型ハウジングの壁は、断面で見て、実質的に正弦波形状を呈する少なくとも１つの部分を有する。これにより、断面で見て実質的に平べったい輪郭を呈する密閉型ハウジング壁と比較して、試験体の応答の直線性が向上する。
【００２１】
オプションとして、圧力測定面は、不活性金属の膜、例えば金、パラジウム又は白金の膜で覆われる。
【００２２】
この層により、ダイヤフラムの腐食を回避すると共にその機械的性質を保つことができる。有利には、圧力測定部材は、セラミックで作られていて密閉型ハウジングの１つの壁を形成する試験体のための支持体を有する。
【００２３】
支持体がセラミックで作られているので、支持体は、完全に密封されると共に化学的攻撃、特に具体的に言えば建設業界においてリム及びタイヤを維持するために用いられる物質からの攻撃に対して不活性である。さらに、亀裂がタイヤ内の温度変動の結果として支持体の材料の膨張に続き現れる恐れがある。セラミックは、極めて僅かな程度しか膨張しないので、支持体における亀裂の発生及び拡がりは、最小限に抑えられる。
【００２４】
好ましくは、この物体は、−２０℃〜＋１５０℃の温度範囲では液相及び／又はゲル相の状態にある。かくして、非圧縮性物体は、圧力測定部材の動作温度範囲全体にわたって液相及び／又はゲル相のままであり、この範囲内においては、圧力測定面から試験体への圧力のその直接的伝達特性を維持する。
【００２５】
圧力測定部材のオプションとしての一特徴によれば、アンテナは、誘電率が１〜５（真空に対する絶対値）の物体内に封入されている。かかる物体は、アンテナをタイヤの内部に存在する可能性がある化学的攻撃、特に具体的に言えば建設業界においてリム及びタイヤを維持するために用いられる物質からの攻撃から保護する。
【００２６】
本発明のもう１の要旨は、圧力測定装置において、上述の圧力測定部材と、圧力測定部材を保護する保護ハウジングとを有することを特徴とする圧力測定装置にある。
【００２７】
保護ハウジングは、圧力測定部材、特に圧力測定面を衝撃及び或る特定の固体デブリ、例えば石から保護する。
【００２８】
有利には、圧力測定装置は、圧力測定部材を保護ハウジング内に位置決めする支持体を有し、保護ハウジングは、圧力測定面に向いた少なくとも１つの保護壁を有し、保護ハウジング及び支持体は、圧力測定面が１つ又は複数の保護壁から或る程度の距離離れたところに位置決めされるよう配置される。
【００２９】
圧力測定面と接触状態にあるハウジングの壁は存在しない。かくして、ハウジングは、タイヤ内部の空気の存在と関連した力以外の力が圧力測定面に加えられることがないようにすることができる。
【００３０】
オプションとして、保護ハウジングは、互いに分離可能であり且つ組み立て時に空気を保護ハウジングの外部と内部との間で通じさせることができるよう配置された第１及び第２の部品を有する。
【００３１】
かくして、保護ハウジングにより、タイヤ内で加圧された空気は、保護ハウジング内に入り、その結果、圧力を圧力測定面により検出することができる。
【００３２】
好ましくは、保護ハウジングは、保護ハウジングに入る空気の寸法的濾過手段を有する。
【００３３】
これら濾過手段は、タイヤ内に存在する最も小さなデブリしか圧力測定部材に接触することができないようにする。これらのサイズが小さいと仮定すると、デブリは、圧力測定部材、特に圧力測定面を損傷させる恐れがない。
【００３４】
本発明の更にもう１つの要旨は、タイヤと圧力測定部材及び／又は圧力測定装置の組立体において、圧力測定部材及び圧力測定装置は、上述のものであることを特徴とする組立体にある。
【００３５】
圧力測定部材は、タイヤ内に位置決めされると、タイヤ内に存在する固体及び液体デブリによる攻撃を受ける。特に、デブリは、圧力測定面に接触する場合があり、そして測定の信頼性を損なう場合がある。したがって、圧力測定部材を保護すると同時にタイヤ圧力を高信頼度で測定することができるようにすることが必要である。
【００３６】
本発明の最後の要旨は、タイヤ圧力測定部材のための保護ハウジングにおいて、保護ハウジングは、
‐圧力測定部材をハウジング内に挿入する位置と、圧力測定部材をハウジング内に保持する位置との間で互いに対して動くことができる第１及び第２の部品を有し、第１及び第２の部品は、第１及び第２の部品が保持位置にあるとき、空気をハウジングの外部と内部との間で通じさせることができるよう配置されており、
‐ハウジングに入る空気を濾過する手段を有し、この濾過手段は、第１及び第２の部品により画定されていて、ハウジングの外部と内部との間での空気を流通させる空間を含むことを特徴とする保護ハウジングにある。
【００３７】
かかるハウジングは、安価で且つ効果的な保護作用を圧力測定部材に提供する。具体的に説明すると、空気は、流通空間が設けられているので、寸法的に濾過され、このことは、流通空間よりも小さなサイズの液体及び個体しか保護ハウジングの内部に入ることができないということを意味している。かくして、保護ハウジングは、圧力測定面を衝撃や或る固体デブリから保護する。
【００３８】
さらに、通路は、第１及び第２の部品によって画定されているので、部品の各々に固有の空気通路を提供する必要がない。通路は、ハウジングが圧力測定部材を保持するその位置においてハウジングの組み立て時点で形成される。
オプションとして、ハウジングは、第１の部品と第２の部品との間に補強手段を有する。補強手段は、保持位置において、空気流通空間が構成されるようにする。
【００３９】
好ましくは、空気流通空間は、断面で見て、全体としてハウジングの内部と外部との間のエルボの形をした輪郭を有する。
【００４０】
オプションとして、空気流通空間は、少なくとも一部が第１及び第２の部品のうちの一方の側壁によって画定される。空気流通空間は、少なくとも一部が側壁から張り出ているスカートにより画定される。かくして、流通空間により、流通空間がほんの僅かな隔離箇所においてデブリで閉塞された場合であっても保護ハウジングの内部と外部との間の空気通路を維持することができる。確かに、流通空間の全てが遮断閉塞状態になる自体が生じることはほぼ起こりそうもなく、従って、ハウジングの内部と外部との間の空気通路が常時存在し、かくして、タイヤ圧力を正確に測定することができる。
【００４１】
有利には、張り出しスカートは、テーパした輪郭を有する。スカートがテーパしていることにより、スカートが保護ハウジングの使用時に衝撃及び振動の影響を受けて変形することができるようにする相対的可撓性がスカートに与えられる。この場合、これにより、第１の部品と第２の部品との間で流通空間内に捕捉状態になっている又は保護ハウジングに入り込んだデブリを払い落として除去された状態にすることができる。
【００４２】
好ましくは、張り出しスカートは、対応の部品の周囲全体に沿ってぐるりと延びる。
【００４３】
本発明は、非限定的な例として示されているに過ぎず、図面を参照して行われる以下の説明を読むと良好に理解されよう。
【図面の簡単な説明】
【００４４】
【図１】タイヤに取り付けられた第１の実施形態としての圧力測定装置を示す図である。
【図２】図１の装置の斜視図である。
【図３】図２の装置の分解組み立て斜視図である。
【図４】図２の装置の断面図である。
【図５】図１〜図４の装置のハウジングの第１の部品の斜視図である。
【図６】図１〜図４の装置のハウジングの第２の部品の斜視図である。
【図７】図１〜図４の装置のための支持体の斜視図である。
【図８】図２〜図４の保護ハウジングをタイヤに固定する手段を示す図である。
【図９】図２〜図４の保護ハウジングをタイヤに固定する手段を示す図である。
【図１０】図３及び図４の装置の部材の断面図である。
【図１１】図１０の部材の斜視図である。
【図１２】図１０の部材の斜視図である。
【図１３】第２の実施形態としての圧力測定装置を示す図である。
【発明を実施するための形態】
【００４５】
図１は、全体を参照符号１０で示した第１の実施形態としての装置を示している。装置１０は、圧力測定部材１２及び圧力測定部材１２を保護する保護ハウジング１４を有している。装置１０は、保護ハウジング１４をタイヤ１８の内面１７に固定する手段１６を更に有している。タイヤ１８は、建設作業用途に使用される。
【００４６】
図２〜図４を参照すると、保護ハウジング１４は、第１の部品２０及び第２の部品２２を有している。装置１０は、部材１２をハウジング１４内に位置決めする位置決め支持体２４を有している。部品２０，２２は、互いに対して動くことができ、この場合、互いに取り外し可能であり、これら部品は、これら部品が組み立てられると、これら２つの部品２０，２２相互間の空間を経てこれら部品が空気をハウジング１４の外部と内部との間で通じさせ又は連絡することができるように配置されている。部品２０，２２は、部材１２をハウジング１４内に挿入する位置（図３、図５、図６）と部材１２をハウジング１４内に保持する位置（図２、図４）との間で互いに対して動くことができる。ハウジング１４は、全体的形状が平行６面体のものである。ハウジング１４は、第１の部品と第２の部品を互いに固定する手段２６及び第１と第２の部品を互いに対して補強する補強手段２７を有している。ハウジング１４は、手段１６を案内する案内手段２８及び手段１６を捕捉する捕捉手段３０を有している。最後に、ハウジング１４は、ハウジング１４に流入した空気の寸法的濾過を行う手段３１を有している。
【００４７】
図４及び図５を参照すると、第１の部品２０は、全体として平行６面体の形をしており、この第１の部品は、一対ずつ互いに平行な４つの保護壁３２ａ〜３２ｄによって構成されている。壁３２ａ〜３２ｄは、保護底壁３４によって互いに連結されている。底壁３４は、受座又は着座部を形成する凹み３６を有する。各壁３２ａ〜３２ｄは、一部分３２ａ１〜３２ｄ１を有する段付きスカート３３を形成し、その延長部としてスカート３５を形成する一部分３０ａ２〜３０ｄ２が設けられ、このスカート３５は、第２の部品２２から張り出している。張り出しスカート３５は、第１の部品２０の周囲全体にわたって延びている。
【００４８】
第１の部品２０の固定手段２６及び補強手段２７は、ねじを通過させる貫通穴を備えた脚部３８を有している。第１の部品２０の案内手段２８は、２つの反対側に位置した壁３２ａ，３２ｂを互いに連結すると共に底壁３４を経てハウジング１４の外面上に延びる２つのリブ３６ａ，３６ｂを有している。手段３０は、壁３４によって支持されていて、凹み３６と相補する突出部４０を含む。
【００４９】
図６を参照すると、装置１０は、支持体２４を位置決めする位置決め手段４２を有している。第２の部品２２は、全体として平行６面体の形をしており、この第２の部品は、一対ずつ互いに平行な４つの保護壁４６ａ〜４６ｄによって構成されている。壁４６ａ〜４６ｄは、保護底壁４８によって互いに連結されている。壁３２ａ〜３２ｄ及び壁４６ａ〜４６ｄは、固定手段２６の作用を損なわないよう突出隆起部を備えていない。
【００５０】
第２の部品２２の固定手段２６及び補強手段２７は、穴３８の延長部をなしてねじを定位置にロックすることができるねじ立て貫通穴５０を有している。第２の部品の案内手段２８は、２つの対をなすリブ５２ａ，５２ｂを有している。リブ５２ａ，５２ｂは、２つの互いに反対側に位置した壁４６ａ，４６ｃによって支持されており、これらリブ５２ａ，５２ｂは、リブ３６ａ，３６ｂの連続部をなした状態で配置されている。位置決め手段４２は、底壁４８によって支持された分極特徴部５４を有している。分極特徴部５４は、第１の形式の分極特徴部５４ａ及び第２の形式の分極特徴部５４ｂから成り、これら第１及び第２の形式の分極特徴部は、それぞれ、十字の形状及び円の形状のものである。壁４８は、第１の形式の１つの分極特徴部５４ａ及び第２の形式の３つの分極特徴部５４ｂを支持している。
【００５１】
寸法的濾過手段３１は、壁４８に対して直角に延びると共に底壁４８によって支持されたリブ５６を有する。リブ５６は、中心が軸線Ｚと一致した円を形成し、これらリブは、互いに角度間隔を置いて配置されている。リブ５６相互間の角度間隔は、一定であり、リブ５６によって画定された円筒形容積部に入り又はこの内部に堆積する恐れのある物体のサイズを制限する。寸法濾過手段３１は、部品２０，２２によって画定された空間５８を更に有する。この特定の場合、空間５８は、２つの部品２０，２２を互いに取り付けたときに部分３２ａ２〜３２ｄ２によって形成された張り出しスカート３５及び側壁４６ａ〜４６ｄによって画定されている。図４に示されているように、空間５８は、断面で見て、全体としてハウジング１４の内部と外部との間に位置するエルボの形をした輪郭を有する。部分３２ａ〜３２ｄと壁４６ａ〜４６ｄを隔てる距離は、１〜３ｍｍである。
【００５２】
張り出しスカート３５は、周囲端縁５９を有している。スカート３５は、テーパした輪郭を有している。換言すると、スカート３５は、縁５９に向かって減少する漸変厚さを有している。
【００５３】
図７を参照すると、支持体２４は、中心が軸線Ｚ′に一致した全体として円の形の部品６０及び部品６０を支持すると共に部品６０周りに等間隔を置いて分布して配置された脚部６２（この場合、４つの脚部）を有している。装置１０は、部材１２を支持体２４内に保持する手段６４を有している。
【００５４】
保持手段６４は、所定の角度幅にわたって周方向に延びる第１及び第２の半径方向壁７０ａ，７０ｂを有している。壁７０ａは、壁７０ｂに対して軸線Ｚ′に沿って軸方向にずれている。手段６４は、部材１２を支持体２４に対して位置決めする切欠き７２を更に有している。
【００５５】
位置決め手段４２は、各脚部６２によって支持された分極特徴部５４と相補する分極特徴部７４を有している。分極特徴部７４は、第１の形式の分極特徴部７４ａ及び第２の形式の分極特徴部７４ｂから成り、これら第１及び第２の形式の分極特徴部は、それぞれ、十字の形状及び円の形状のものである。１つの脚部は、第１の形式の分極特徴部７４ａを支持し、他の脚部は各々、第２の形式の分極特徴部７４ｂを支持している。
【００５６】
支持体２４は、プラスチック、例えばポリビニリジンフロリドで作られている。この材料は、部材１２を支持体２４の弾性変形によって支持体２４中に挿入することができるに足りるほどの可撓性がある。
【００５７】
図１、図８及び図９を参照すると、固定手段１６は、パッチ７６及び保持ストリップ７８を有している。ストリップ７８は、ベルクロ（Velcro（登録商標））という商標で知られているフック‐ループ（マジックテープ（登録商標））型の２つの相補する締結部分８２，８４を互いに接合する弾性部分８０を有している。各部分８２，８４は、ストリップ７８を保持する開口部８６を更に有し、この開口部は、突出部４０の寸法形状と実質的に同一の寸法形状のものである。
【００５８】
パッチ７６は、タイヤ１８に固定可能なフェース８８を有し、このフェースは、内面１７に当てて接合されるようになっている。パッチ７６は、フェース９０及びパッチ７６をストリップ７８に固定するストラップ９２を更に有している。フェース９０及びストラップ９２は、ストリップ７８を挿通させる空間９４を画定している。
【００５９】
装置１０をタイヤ１８に取り付ける際、ストリップ７８を空間９４に通す。次に、ハウジング１４をストラップ９２上に配置する。ストリップ７８をストリップ７８の案内リブ３６ａ，３６ｂ相互間に通し、突出部４０を図１に示されているように各開口部８６中に挿入する。
【００６０】
図１０〜図１２を参照すると、部材１２は、全体として軸線Ｚ″を中心とする回転筒体の形をしている。部材１２は、感圧性（圧力に敏感な）変形可能な表面９８を支持した試験体９６を有している。従来通り、測定されるべき圧力を受ける試験体９６は、圧力を他の何らかの物理的パラメータ、例えば変形量、変位量等に変換する。さらに、部材１２は、試験体９６により検出された圧力を処理する処理手段９９を有する。手段９９は、特に、マイクロコントローラを含む。手段９９は、物理的パラメータに敏感であり、この検出パラメータを例えば電気信号に変換するようになっている。部材１２は、エネルギー貯蔵手段１０１、この場合、単電池を更に有している。
【００６１】
部材１２は、密閉型ハウジング１００を更に有する。ハウジング１００は試験体９６の支持体１０２及び変形可能な圧力測定面１０６を備えた変形可能なダイヤフラムにより形成されている変形可能な壁１０４を有している。ダイヤフラム１０４は、溶接又は接着によって支持体１０２に取り付けられている。ハウジング１００は、内部空間Ｅを画定している。試験体９６及び手段９９，１０１は、ハウジング１００の内部に配置されている。
【００６２】
さらに、部材１２は、部材１２により収集されたデータ、特に試験体９６により測定されて処理手段９９により処理されたパラメータの無線周波数通信のための手段１０８を有する。部材１２は、圧力をダイヤフラム１０４の圧力測定面１０６と試験体９６の変形可能な表面９８との間で伝える手段１１０を有している。部材１２は、ハウジング１００の充填のための手段１１２及び充填手段１１２を施栓する手段１１４を有している。
【００６３】
好ましくは、試験体９６は、変形可能な表面９８が生じた変形量を処理手段９９に送られる電気信号に変換することができる歪ゲージ型の要素を有する。変形例として、試験体９６は、圧電型の要素を有する。
【００６４】
表面１０６は、試験体９６、この場合表面９８に機能的に連結されており、その結果、圧力が表面１０６に加えられると、この圧力は、試験体９６、この場合表面９８に伝達されるようになっている。
【００６５】
この目的のため、伝達手段１１０は、圧力測定面１０６に加えられた圧力を変形可能な表面９８に伝達するようになっている。
【００６６】
ダイヤフラム１０４は、全体として頂部が平べったくされた回転長円体の形をしている。ダイヤフラム１０４は、同心円形溝１２０より互いに隔てられた同心円形部分１１８を有している。溝１２０は、一対ずつ互いに等距離間隔を置いて位置している。図４及び図１０に示されているように、密閉型ハウジング１００の壁１０４は、断面で見て、実質的に正弦波輪郭形状を示す少なくとも１つの部分を有する。
【００６７】
ダイヤフラム１０４は、ステンレス鋼で作られており、表面１０６は、不活性金属膜、例えば金、パラジウム又は白金の膜で覆われている。
【００６８】
支持体１０２は、ハウジング１００の１つの壁を形成し、この支持体は、セラミックで作られている。部材１２は、エッチングにより支持体１０２に施された銅パターンの電子回路１２２を有している。支持体１０２は、回路１２２を経て試験体９６、伝達手段１０８及びエネルギー貯蔵手段１０１に接続された処理手段９９を支持している。
【００６９】
通信手段１０８は、コイル型のアンテナ１２４を含む。この種のアンテナにより、僅かな体積で比較的効果的な放射パターンを得ることができる。アンテナ１２４は、内部空間Ｅの外部に位置している。部材１２は、アンテナ１２４を保護するハウジング１２６を更に有し、このアンテナは、ハウジング内に封入されている。ハウジング１２６は、ハウジング１００、この場合支持体１０２に取り付けられ、ハウジング１２６は、１〜５の誘電率を示す材料、例えば熱硬化性ポリウレタンで作られている。
【００７０】
充填手段１１２は、支持体１０２に形成されたハウジング１００の充填を行う充填オリフィス１２８を有する。オリフィス１２８は、施栓手段、この場合支持体１０２により支持されたねじ山部１３２に強制的にねじ込まれる施栓部材１３０によって施栓されている。部材１３０は、アンテナを保持するオリフィス１３３を有し、この部材１３０は、電気信号をハウジング１４の内部からハウジング１４の外部に伝えるよう導電性材料で作られている。部材１３０は、アンテナをオリフィス１３４内に溶接することができる材料で作られている。したがって、部材１３０は、アンテナ１２４に電気的に且つ機械的に結合されている。ハウジング１００には真空下において５０℃〜８０℃の温度で液相状態の物質が充填され、この物質は、回路１２２の電子部品相互間の空間を含む空間Ｅ全体に完全に進入するようになっている。
【００７１】
変形例として、ハウジング１００には５０℃〜８０℃の第１の温度状態にある物質が充填される。この物質は、架橋可能である。この温度状態で且つこの充填ステップ中、物質は、液相の状態にある。物質は、単一成分のものであっても良く、２成分物質であっても良く、或いは多成分物質であっても良い。次に、物質は、第２の温度で架橋するよう放置される。次に、物質は、ゲル相の物体を形成する。変形例として、この物質は、第１の温度で架橋するよう放置される。
【００７２】
動作原理を説明すると、伝達手段１１０は、内部空間Ｅの全てを占有する実質的に非圧縮性の物体１３６を有する。
【００７３】
この特定の場合、非圧縮性物体１３６は、−２０℃〜＋１５０℃の温度範囲では、液相及び／又はゲル相の状態にある。物体１３６は、これが回路１２２、特に試験体９６又は検出器９９の電気信号を電気的に邪魔することがないよう誘電性である。物体は、液体の場合、エステル系又はグリセリン系油から選択される。ゲルの場合、用いられる物体は、モメンティブ（Momentive）社により製造された製造番号ＴＳＥ３０６２により知られている製品である。
【００７４】
手段６４は、部材１２を位置決めするタブ１４０を有している。このタブ１４０は、支持体２４の切欠き７２と相補する。
【００７５】
図４を参照すると、保護壁４８は、表面１０６に向いている。支持体及びハウジング１４は、圧力測定面１０６がハウジングの壁４８から或る程度の距離離れたところに位置するよう配置されている。この特定の場合、支持体２４の高さ、この場合、半径方向壁７０ｂの高さは、ダイヤフラム１０４の高さよりも大きい、装置１０が組み立て位置にあるとき、軸線Ｚ，Ｚ′，Ｚ″は、互いに実質的に一致している。リブ５６は又、支持体２４の軸方向運動の端停止部として働く機能を実行する。具体的に説明すると、脚部６２が可撓性なので、これら脚部は、撓むことができる。圧力測定面１０６が壁４８に当たるのを阻止するため、リブ５６は、支持体２４及びかくしてハウジング１００の軸方向運動を制限する。
【００７６】
図１３は、本発明の第２の実施形態としての装置を示している。先の図に示された要素と類似している要素は、同一の参照符号で示されている。
【００７７】
この第２の実施形態では、固定手段１６は、フェース９０に台形断面の雄型スライダ１４４を支持したパッチ１４２を有している。手段１６は、第２の部品２２に形成された雌型台形断面のスライダ１４６を更に有している。第２の実施形態としての装置１０は、ハウジング１４をパッチ１４２でロックする手段１４８を更に有している。ロック手段１４８は、部品２２の壁のうちの１つにより支持されたラグ又は出ばり１５２に形成された長円形のオリフィス１５０を有している。手段１４８は、オリフィス１５０が雄型スライダ１４４のロック壁１５６を越えて進んだときにオリフィス１５０中に挿入されるようになった一定の弾性フック１５４を更に有している。
【００７８】
本発明は、上述の実施形態には制限されない。
【００７９】
特に、第１及び第２の実施形態で説明した連結又は結合手段とは異なる連結又は結合手段を有する装置１４を用いることができる。同様に、第１及び第２の実施形態で説明した保護ハウジングとは異なる保護ハウジングを備えた部材１２を用いることができる。
【００８０】
注目されるように、タイヤ圧力測定部材用の保護ハウジングであって、
‐圧力測定部材をハウジング内に挿入する位置と、圧力測定部材をハウジング内に保持する位置との間で互いに対して動くことができる第１及び第２の部品を有し、第１及び第２の部品は、第１及び第２の部品が保持位置にあるとき、空気をハウジングの外部と内部との間で通じさせることができるよう配置されており、
‐ハウジングに入る空気を濾過する手段を有し、この濾過手段は、第１及び第２の部品により画定されていて、ハウジングの外部と内部との間での空気を流通させる空間を含むことを特徴とする保護ハウジングを用いることができ、このことは、
圧力測定部材が、
‐試験体に機能的に連結された圧力測定面を有し、
‐試験体が収納された密閉型圧力測定ハウジングを有し、圧力測定面が試験体から或る程度の距距離を置いたところに位置した密閉型圧力測定ハウジングの壁によって支持され、密閉型圧力測定ハウジングが密閉型圧力測定ハウジングの内部の空間を画定し、
‐圧力を圧力測定面と試験体との間で伝達する圧力伝達面を有し、圧力伝達面が内部空間の全てを占有する実質的に非圧縮性の物体を有し、
‐エネルギー貯蔵手段及び試験体によって検出された圧力を処理する圧力処理手段を有し、エネルギー貯蔵手段及び圧力処理手段が密閉型圧力測定ハウジング内に配置されていることを特徴とするかどうかとは無関係である。
【図１】
2013506827.tif 000003
【図２】
2013506827.tif 000004
【図３】
2013506827.tif 000005
【図４】
2013506827.tif 000006
【図５】
2013506827.tif 000007
【図６】
2013506827.tif 000008
【図７】
2013506827.tif 000009
【図８】
2013506827.tif 000010
【図９】
2013506827.tif 000011
【図１０】
2013506827.tif 000012
【図１１】
2013506827.tif 000013
【図１２】
2013506827.tif 000014
【図１３】
2013506827.tif 000015
【手続補正書】
【提出日】平成24年6月1日(2012.6.1)
【手続補正１】
【補正対象書類名】特許請求の範囲
【補正対象項目名】全文
【補正方法】変更
【補正の内容】
【特許請求の範囲】
【請求項１】
圧力測定部材（１２）において、前記圧力測定部材は、
‐試験体（９６）に機能的に連結された圧力測定面（１０６）を有し、
‐前記試験体（９６）が収納された密閉型圧力測定ハウジング（１００）を有し、前記圧力測定面（１０６）は、前記試験体から或る程度の距距離を置いたところに位置した前記密閉型圧力測定ハウジング（１００）の壁（１０４）によって支持され、前記密閉型圧力測定ハウジング（１００）は、前記密閉型圧力測定ハウジング（１００）の内部に位置していて前記試験体（９６）を収納する空間（Ｅ）を画定し、
‐圧力を前記圧力測定面（１０６）と前記試験体（９６）との間で伝達する圧力伝達面（１１０）を有し、前記圧力伝達面は、前記内部空間（Ｅ）の全てを占有する実質的に非圧縮性の物体（１３６）を有し、
‐エネルギー貯蔵手段（１０１）及び前記試験体（９６）によって検出された圧力を処理する圧力処理手段（９９）を有し、前記エネルギー貯蔵手段（１０１）及び前記圧力処理手段（９９）は、前記密閉型圧力測定ハウジング（１００）内に配置されている、圧力測定部材（１２）。
【請求項２】
前記物体（１３６）によって占有された前記内部空間（Ｅ）の外部に位置するアンテナ（１２４）を含む無線周波数通信手段（１０８）を有する、請求項１記載の圧力測定部材（１２）。
【請求項３】
前記密閉型圧力測定ハウジング（１００）は、前記アンテナ（１２４）が接続された導電性施栓部材（１１４）によって施栓されるようになっていて、電気ハウジング（１００）の充填を行う充填オリフィス（１２８）を有する、請求項２記載の圧力測定部材（１２）。
【請求項４】
前記密閉型ハウジングの前記壁（１０４）は、同心溝（１２０）を有する、請求項１乃至３の何れか１項に記載の圧力測定部材（１２）。
【請求項５】
前記同心溝（１２０）は、一対ずつ互いに等距離を置いて位置している、請求項４記載の圧力測定部材（１２）。
【請求項６】
前記圧力測定面（１０６）は、不活性金属の膜、例えば金、パラジウム又は白金の膜で覆われている、請求項１乃至５の何れか１項に記載の圧力測定部材（１２）。
【請求項７】
セラミックで作られていて、前記密閉型ハウジング（１００）の１つの壁を形成する前記試験体（９６）のための支持体（１０２）を有する、請求項１乃至６の何れか１項に記載の圧力測定部材（１２）。
【請求項８】
前記物体（１３６）は、−２０℃〜＋１５０℃の温度範囲では液相及び／又はゲル相の状態にある、請求項１乃至７の何れか１項に記載の圧力測定部材（１２）。
【請求項９】
前記アンテナ（１２４）は、誘電率が１〜５の物体内に封入されている、請求項８記載の圧力測定部材（１２）。
【請求項１０】
圧力測定装置（１０）において、請求項１乃至９の何れか１項に記載の圧力測定部材（１２）と、前記圧力測定部材（１２）を保護する保護ハウジング（１４）とを有する、圧力測定装置（１０）。
【請求項１１】
前記圧力測定装置（１０）は、前記圧力測定部材（１２）を前記保護ハウジング（１４）内に位置決めする支持体（２４）を有し、前記保護ハウジング（１４）は、前記圧力測定面（１０６）に向いた少なくとも１つの保護壁（４８）を有し、前記保護ハウジング（１４）及び前記支持体（２４）は、前記圧力測定面（１０６）が１つ又は複数の前記保護壁（４８）から或る程度の距離離れたところに位置決めされるよう配置されている、請求項１０記載の圧力測定装置（１０）。
【請求項１２】
前記保護ハウジング（１４）は、互いに分離可能であり且つ組み立て時に空気を前記保護ハウジング（１４）の外部と内部との間で通じさせることができるよう配置された第１及び第２の部品（２０，２２）を有する、請求項１０又は１１記載の圧力測定装置（１０）。
【請求項１３】
前記保護ハウジング（１４）は、前記保護ハウジング（１４）に入る空気の寸法的濾過手段（３１）を有する、請求項１０乃至１２の何れか１項に記載の圧力測定装置（１０）。
【請求項１４】
タイヤ（１８）と圧力測定部材（１２）及び／又は圧力測定装置（１０）の組立体において、前記圧力測定部材（１２）は、請求項１〜９のうちいずれか一に記載のものであると共に／或いは前記圧力測定装置（１０）は、請求項１０乃至１３の何れか１項に記載のものである、組立体。
【請求項１５】
タイヤ圧力測定部材（１２）のための保護ハウジング（１４）において、前記保護ハウジング（１４）は、
‐前記圧力測定部材（１２）を前記ハウジング（１４）内に挿入する位置と、前記圧力測定部材（１２）を前記ハウジング（１４）内に保持する位置との間で互いに対して動くことができる第１及び第２の部品（２０，２２）を有し、前記第１及び前記第２の部品（２０，２２）は、前記第１及び前記第２の部品が前記保持位置にあるとき、空気を前記ハウジング（１４）の外部と内部との間で通じさせることができるよう配置されており、
‐前記ハウジング（１４）に入る空気を濾過する手段（３１）を有し、該濾過手段（３１）は、前記第１及び前記第２の部品（２０，２２）により画定されていて、前記ハウジング（１４）の外部と内部との間での空気を流通させる空間（５８）を含む、保護ハウジング（１４）。
【請求項１６】
前記第１の部品（２０）と前記第２の部品（２２）との間に設けられた補強手段（２７）を有する、請求項１５記載の保護ハウジング（１４）。
【請求項１７】
前記空気流通空間（５８）は、断面で見て、前記ハウジング（１４）の内部と外部との間のエルボの形をした全体的輪郭を有する、請求項１５又は１６記載の保護ハウジング（１４）。
【請求項１８】
前記空気流通空間（５８）は、少なくとも一部が前記第１及び前記第２の部品（２０，２２）のうちの一方の側壁（４６ａ〜４６ｄ）によって画定されている、請求項１５乃至１９の何れか１項に記載の保護ハウジング（１４）。
【請求項１９】
前記空気流通空間（５８）は、少なくとも一部が前記側壁（４６ａ〜４６ｄ）から張り出ているスカート（３５）により画定されている、請求項１８記載の保護ハウジング（１４）。
【請求項２０】
前記張り出しスカート（３５）は、テーパした輪郭を有する、請求項１９記載の保護ハウジング（１４）。
【請求項２１】
前記張り出しスカート（３５）は、対応の部品（２０，２２）の周囲全体に沿ってぐるりと延びている、請求項１９又は２０記載の保護ハウジング（１４）。
【国際調査報告】
2013506827.tif 000016
2013506827.tif 000017
2013506827.tif 000018
2013506827.tif 000019